(57)【要約】【課題】  マルチキャリアスペクトル拡散通信において、フレキシビリティが高く、伝送特性を向上させることが可能なマルチキャリアスペクトル拡散通信装置及びマルチキャリアスペクトル拡散通信方法を提供する。【解決手段】  送信装置２０は、コード拡散部２４において情報シンボルの拡散処理を行なう。ここでは、情報シンボルの１次元拡散のみを実行する。次に、マッパ３０は、検索テーブル記憶部３１に格納された検索テーブルを用いて、各チップデータを、チップのアドレスに対応して周波数軸アドレスと時間軸アドレスとから構成された２次元マップに配置する。そして、バッファ部３２に記録されたチップデータを用いて、送信装置２０のＩＦＦＴ部２５においてＯＦＤＭシンボルを生成する。そして、送信装置２０は、ＤＡ変換部２６を介してマルチキャリアＣＤＭＡ信号を送信する。【選択図】      図１
2006067118.tif 000002
【特許請求の範囲】
【請求項１】
複数のサブキャリアによるマルチキャリアスペクトル拡散通信方式に用いる通信装置であって、
前記通信装置が、
情報シンボルを可変拡散コードにより拡散する拡散手段と、
前記拡散手段で拡散された各チップのアドレスに基づいて、サブキャリアに配置する時間軸アドレスと周波数軸アドレスとに変換するマッピング手段と、
前記マッピング手段により時間軸アドレスと周波数軸アドレスとに配置されたデータを格納するバッファ手段と、
前記バッファ手段に記録されたデータから、同一時刻にＩＦＦＴ処理を行なうデータを抽出し、ＯＦＤＭシンボルを生成する信号生成手段と
を備えることを特徴とするマルチキャリアスペクトル拡散通信装置。
【請求項２】
複数のサブキャリアによるマルチキャリアスペクトル拡散通信方式に用いる通信装置であって、
前記通信装置が、
情報シンボルを格納するバッファ手段と、
前記情報シンボルのデータを可変拡散コードにより拡散する拡散手段と、
ＩＦＦＴ処理を行なってＯＦＤＭシンボルを生成する信号生成手段と、
これらを制御するマッピング手段とを備え、
前記マッピング手段が、ＯＦＤＭシンボルを生成するために必要な時間軸アドレスと周波数軸アドレスを特定し、
前記時間軸アドレスと周波数軸アドレスに対応するチップデータのアドレスを特定し、
前記チップデータのアドレスを生成するための情報シンボルを前記バッファ手段から抽出し、拡散処理及びＩＦＦＴ処理を実行させることを特徴とするマルチキャリアスペクトル拡散通信装置。
【請求項３】
前記マッピング手段は、各チップのアドレスに対応させて、サブキャリアに配置する時間軸アドレスと周波数軸アドレスを関連付けた検索テーブルを備えることを特徴とする請求項１又は２に記載のマルチキャリアスペクトル拡散通信装置。
【請求項４】
前記マッピング手段は、チップインターリーブ処理をさらに実行することを特徴とする請求項１〜３のいずれか一項に記載のマルチキャリアスペクトル拡散通信装置。
【請求項５】
拡散手段、マッピング手段、バッファ手段、信号生成手段を備えた通信装置を用いて、複数のサブキャリアによるマルチキャリアスペクトル拡散通信を行なう方法であって、
前記通信装置が、
前記拡散手段において、情報シンボルを可変拡散コードにより拡散し、
前記マッピング手段において、前記拡散手段で拡散された各チップのアドレスに基づいて、サブキャリアに配置する時間軸アドレスと周波数軸アドレスとに変換し、
前記バッファ手段において、前記マッピング手段により時間軸アドレスと周波数軸アドレスとに配置されたデータを格納し、
前記信号生成手段において、前記バッファ手段に記録されたデータから、同一時刻にＩＦＦＴ処理を行なうデータを抽出し、ＯＦＤＭシンボルを生成することを特徴とするマルチキャリアスペクトル拡散通信方法。
【請求項６】
情報シンボルを格納するバッファ手段と、前記情報シンボルのデータを可変拡散コードにより拡散する拡散手段と、ＩＦＦＴ処理を行なってＯＦＤＭシンボルを生成する信号生成手段と、これらを制御するマッピング手段とを備えた通信装置を用いて、複数のサブキ
ャリアによるマルチキャリアスペクトル拡散通信を行なう方法であって、
前記マッピング手段が、
ＯＦＤＭシンボルを生成するために必要な時間軸アドレスと周波数軸アドレスを特定し、
前記時間軸アドレスと周波数軸アドレスに対応するチップデータのアドレスを特定し、
前記チップデータのアドレスを生成するための情報シンボルを前記バッファ手段から抽出し、拡散処理及びＩＦＦＴ処理を実行させることを特徴とするマルチキャリアスペクトル拡散通信方法。
【発明の詳細な説明】
【技術分野】
【０００１】
本発明は、マルチキャリアスペクトル拡散通信装置及びマルチキャリアスペクトル拡散通信方法に関する。
【背景技術】
【０００２】
無線通信において、様々な障害物等からの反射波が重なりあい多重伝送路（マルチパス）となることがある。そして、各伝送路の伝搬遅延の違いにより、伝送帯域内の周波数特性が歪む周波数選択性フェージングや、時間軸上で隣り合う信号（シンボル）が互いに干渉するシンボル間干渉を生じ、通信品質の劣化を招く。このような劣化に対する対策としてマルチキャリアスペクトル拡散通信方式が注目されている。
【０００３】
このマルチキャリアスペクトル拡散通信方式では、情報を複数の低レートのキャリア（サブキャリア）に分けて伝送する。すなわち、マルチキャリアスペクトル拡散通信では１つのシンボル長を長くすることにより、シンボル長に比較して遅延量が小さいため、上述のマルチパスによる干渉の影響を小さくすることができる。特に、各キャリアが互いに直交するように選んだものは直交マルチキャリア変調方式と呼ばれ、直交周波数分割多重（Orthogonal Frequency Division Multiplex ：ＯＦＤＭ）がある。また、マルチキャリアスペクトル拡散通信と「ＣＤＭＡ（Code Division Multiple Access ）」とを組み合わせた無線伝送方式として「ＭＣ−ＣＤＭＡ（Multi-Carrier-CDMA）」等の無線アクセス方式が提案されている。このＭＣ−ＣＤＭＡは、情報シンボルに対して拡散コードを用いて拡散を行ない、拡散された情報シンボルを複数のサブキャリアもしくはＯＦＤＭシンボル上にマッピングして並列伝送する方式である（例えば、特許文献１参照。）。
【０００４】
ここで、図８に示すマルチキャリアスペクトル拡散通信システムの送信装置２０を用いて信号を送信する場合について説明する。まず、送信装置２０は、入力された送信データに対して情報シンボル生成部２１を用いて情報シンボルを生成する。そして、送信装置２０は、誤り訂正符号化部２２において、データの誤りを訂正するための誤り訂正符号を付加する誤り訂正符号化処理を実行する。次に、生成した情報シンボルに対してデータ変調部２３においてデータ変調処理を行なう。このデータ変調部２３は、ＱＡＭ（Quadrature
Amplitude Modulation ）やＱＰＳＫ（Quadrature Phase Shift Keying ）変調等を実行する。
【０００５】
次に、送信装置２０は、コード拡散部２４において２次元拡散を行なう。具体的には、コード拡散部２４は、データ変調処理が行なわれた情報シンボルを直並列変換し、情報シンボルを複数の情報シンボルに分割する。そして、コード拡散部２４は、直並列変換され、分割された複数の情報シンボルを、その情報シンボルを伝送するデータチャネルに対応する拡散コードの拡散コード周期と等しい個数だけ複製する。コード拡散部２４は、各データチャネルに割り当てられた各データチャネルに対応する拡散コードを生成する。そして、送信装置２０は、複製された情報シンボルに、その情報シンボルを送信するデータチャネルに対応する拡散コードを乗算して情報信号とする。そして、情報信号を複数のサブキャリア上への割り当て処理を行なう。更に、送信装置２０は、情報信号にパイロット信号を挿入し、各データチャネルの情報信号とパイロット信号を合成し、コード多重を行なう。
【０００６】
そして、送信装置２０は、コード多重された情報信号を、その情報信号を送信する周波数の異なる複数のサブキャリアに拡散する。具体的には、送信装置２０は、ＩＦＦＴ部２
５において情報信号の周波数時間信号変換を行なう。ここでは、高速フーリエ逆変換（ＩＦＦＴ：Inverse Fast Fourier Transform）処理を行なう。そして、情報信号を周波数の異なる複数のサブキャリアに割り振って、ＯＦＤＭシンボルを生成する。
【０００７】
さらに、送信装置２０は、ＤＡ変換部２６において、ＯＦＤＭシンボル毎にガードインターバル挿入処理、シンボル整形処理、デジタル・アナログ変換処理、直交変換処理を実行する。ここで、ガードインターバル挿入処理では、ガードインターバルをＯＦＤＭシンボル間に挿入することにより、マルチパス伝搬の影響により遅延して受信装置に到達し、ＯＦＤＭシンボル間で干渉する影響を低減することができる。例えば、ＯＦＤＭシンボルの後半部分を複製した信号をＯＦＤＭシンボルの先頭に挿入する。又、ガードインターバルの長さは、遅延時間を考慮して定めることができる。
【０００８】
シンボル整形処理では、帯域外にもれる信号を減らすために波形整形を行なう。直交変換処理では、複素数表現のベースバンド信号を中間周波数無線信号に変換する。そして、送信装置２０は、マルチキャリアＣＤＭＡ信号を、アンテナを介して受信装置に送信する。
【０００９】
例えば、情報シンボルを１６チップに拡散すると仮定した場合に、時間軸方向及び周波数軸方向に、複数の形態でチップを配置することができる。ここで、拡散率（ＳＦ）は、時間軸拡散率（ＳＦtime）と周波数軸拡散率（ＳＦfreq）とを乗算することにより算出される。時間軸方向及び周波数軸方向に対して（１６ｘ１）に拡散する場合、図９の拡散パターン１０１内で順次各チップを配置する。同様に、時間軸方向及び周波数軸方向に対して、それぞれ（８ｘ２）、（４ｘ４）、（２ｘ８）、（１ｘ１６）に拡散する場合、図９の拡散パターン１０２〜１０５で順次各チップを配置する。このように配置されたチップに対して、時間軸上に配置されたデジタルシンボルがそれぞれ異なるサブキャリアに割り当てられてＯＦＤＭシンボルが生成される。このように、時間軸方向及び周波数軸方向に拡散することにより、従来よりも伝送特性を良好にすることができる。
【特許文献１】特開平２００２−１９０７８８号公報（第１頁、図１）
【発明の開示】
【発明が解決しようとする課題】
【００１０】
このようなマルチキャリアスペクトル拡散通信システムにおいては、拡散率も通信量や無線資源に応じて可変とするべきである。先の例で、拡散率を１６と仮定したが、この値は１、２、４、１６・・・といった様に様々な値を取り得る。ここでも、高い自由度が必要とされる。この様な、可変拡散コードを用いた２次元拡散機能を、その高い自由度を保った上で実現することは回路規模の著しい増大を招く。
【００１１】
さらに、チップ数が多くなる場合、多様な配置が考えられ、本質的には、時間軸方向及び周波数軸方向にＭｘＮの資源がある場合に、（ＭｘＮ）！個の配置方法は存在することになり、その自由度は非常に高い。
【００１２】
本発明は、上述した課題に鑑みてなされ、マルチキャリアスペクトル拡散通信において、効率的に多様なパターンを用いての２次元拡散を実現し、フレキシビリティが高く、伝送特性を向上させることが可能なマルチキャリアスペクトル拡散通信装置及びマルチキャリアスペクトル拡散通信方法を提供することを目的とする。
【課題を解決するための手段】
【００１３】
上記問題点を解決するために、本発明は、複数のサブキャリアによるマルチキャリアスペクトル拡散通信方式に用いる通信装置であって、前記通信装置が、情報シンボルを可変拡散コードにより拡散する拡散手段と、前記拡散手段で拡散された各チップのアドレスに
基づいて、サブキャリアに配置する時間軸アドレスと周波数軸アドレスとに変換するマッピング手段と、前記マッピング手段により時間軸アドレスと周波数軸アドレスとに配置されたデータを格納するバッファ手段と、前記バッファ手段に記録されたデータから、同一時刻にＩＦＦＴ処理を行なうデータを抽出し、ＯＦＤＭシンボルを生成する信号生成手段とを備えることを要旨とする。これにより、スペクトル拡散のための拡散処理と、ＯＦＤＭのための２次元化処理とを別個に行なうことになり、それぞれの処理のフレキシビリティを高くすることができる。
【００１４】
本発明は、複数のサブキャリアによるマルチキャリアスペクトル拡散通信方式に用いる通信装置であって、前記通信装置が、情報シンボルを格納するバッファ手段と、前記情報シンボルのデータを可変拡散コードにより拡散する拡散手段と、ＩＦＦＴ処理を行なってＯＦＤＭシンボルを生成する信号生成手段と、これらを制御するマッピング手段とを備え、前記マッピング手段が、ＯＦＤＭシンボルを生成するために必要な時間軸アドレスと周波数軸アドレスを特定し、前記時間軸アドレスと周波数軸アドレスに対応するチップデータのアドレスを特定し、前記チップデータのアドレスを生成するための情報シンボルを前記バッファ手段から抽出し、拡散処理及びＩＦＦＴ処理を実行させることを要旨とする。これにより、スペクトル拡散のための拡散処理と、ＯＦＤＭのための２次元化処理とを別個に行なうことになり、それぞれの処理のフレキシビリティを高くすることができる。さらに、バッファ手段には拡散処理前のデータが蓄積され、必要なデータのみを取り出して拡散処理及びＩＦＦＴ処理を実行するため、バッファ手段の記憶容量の低減を図ることができる。
【００１５】
本発明は、前記マッピング手段は、各チップのアドレスに対応させて、サブキャリアに配置する時間軸アドレスと周波数軸アドレスを関連付けた検索テーブルを備えることを要旨とする。これにより、効率的に２次元化処理を実行することができる。
【００１６】
本発明は、前記マッピング手段は、チップインターリーブ処理をさらに実行することを要旨とする。これにより、符号化後の隣接ビットの伝送において、できる限り離れたサブキャリアを用いることにより、誤りを低減することができる。
【００１７】
本発明は、通信装置を用いて、複数のサブキャリアによるマルチキャリアスペクトル拡散通信を行なう方法であって、前記通信装置が、情報シンボルを可変拡散コードにより拡散し、拡散された各チップのアドレスに基づいて、サブキャリアに配置する時間軸アドレスと周波数軸アドレスとに変換し、時間軸アドレスと周波数軸アドレスとに配置されたデータを格納し、同一時刻にＩＦＦＴ処理を行なうデータを抽出し、ＯＦＤＭシンボルを生成することを要旨とする。これにより、スペクトル拡散のための拡散処理と、ＯＦＤＭのための２次元化処理とを別個に行なうことになり、それぞれの処理のフレキシビリティを高くすることができる。
【００１８】
本発明は、情報シンボルを格納するバッファ手段と、前記情報シンボルのデータを可変拡散コードにより拡散する拡散手段と、ＩＦＦＴ処理を行なってＯＦＤＭシンボルを生成する信号生成手段と、これらを制御するマッピング手段とを備えた通信装置を用いて、複数のサブキャリアによるマルチキャリアスペクトル拡散通信を行なう方法であって、前記マッピング手段が、ＯＦＤＭシンボルを生成するために必要な時間軸アドレスと周波数軸アドレスを特定し、前記時間軸アドレスと周波数軸アドレスに対応するチップデータのアドレスを特定し、前記チップデータのアドレスを生成するための情報シンボルを前記バッファ手段から抽出し、拡散処理及びＩＦＦＴ処理を実行させることを要旨とする。これにより、スペクトル拡散のための拡散処理と、ＯＦＤＭのための２次元化処理とを別個に行なうことになり、それぞれの処理のフレキシビリティを高くすることができる。さらに、バッファ手段には拡散処理前のデータが蓄積され、必要なデータのみを取り出して拡散処
理及びＩＦＦＴ処理を実行するため、バッファ手段の記憶容量の低減を図ることができる。
【発明の効果】
【００１９】
本発明によれば、マルチキャリアスペクトル拡散通信において、効率的に多様なパターンを用いての２次元拡散を実現し、フレキシビリティが高く、伝送特性を向上させることが可能なマルチキャリアスペクトル拡散通信装置及びマルチキャリアスペクトル拡散通信方法を提供することができる。
【発明を実施するための最良の形態】
【００２０】
以下、本発明のマルチキャリアスペクトル拡散通信システム及びマルチキャリアスペクトル拡散通信用受信装置を具体化したマルチキャリアＣＤＭＡ伝送（ＭＣ−ＣＤＭＡ）の一実施形態を図１〜図６に従って説明する。本実施形態では、マルチキャリアスペクトル拡散通信としてＯＦＤＭ伝送を用いて説明する。
【００２１】
図１に示すように、本実施形態におけるマルチキャリアスペクトル拡散通信システムでは、マルチキャリアスペクトル拡散通信装置としての送信装置２０及び受信装置（図示せず）を用いる。
【００２２】
まず、送信装置２０は、入力された送信データに対して情報シンボル生成部２１を用いて情報シンボルを生成する。そして、送信装置２０は、誤り訂正符号化部２２において、データの誤りを訂正するための誤り訂正符号を付加する誤り訂正符号化処理を実行する。次に、生成した情報シンボルに対してデータ変調部２３においてデータ変調処理を行なう。このデータ変調部２３は、ＱＰＳＫ変調やＱＡＭ変調等を行なう。
【００２３】
次に、送信装置２０は、拡散手段としてのコード拡散部２４において情報シンボルの拡散処理を行なう。ここでは、情報シンボルの１次元拡散のみを実行する。コード拡散部２４は、各データチャネルに割り当てられた各データチャネルに対応する拡散コードを生成する。さらに、伝送路状態に応じて、周波数軸上および時間軸上の配置を変更する可変コードを用いる。これにより、周波数選択性フェージング伝送路の影響を受ける伝送路や時間変動の大きい伝送路等に容易に適応することができる。そして、送信装置２０は、この拡散コードを情報シンボルに乗算して拡散を行なう。
【００２４】
次に、送信装置２０は、マッピング手段としてのマッパ３０を用いて拡散された情報シンボルの２次元化処理を行なう。このマッパ３０はカウンタを備え、入力されたシンボル順序とチップ順序とをカウントする。このカウンタ値は、後述するバッファ部３２に書き込むときのアドレスに変換される。この変換には、特定のマッピングルールが用いられる。
【００２５】
本実施形態では、マッパ３０は、検索テーブル記憶部３１を備え、この検索テーブル記憶部３１に格納された検索テーブル３１０を用いる。この検索テーブル３１０を、図２を用いて説明する。検索テーブル３１０では、チップデータのアドレス（addr（before map）：チップアドレス）に対応して、周波数軸方向のアドレス（maped freq addr ：周波数軸アドレス）と時間軸方向のアドレス（maped time addr ：時間軸アドレス）とが関連付けられて記録されている。そして、マッパ３０は、この検索テーブル３１０を用いて、１次元の情報シンボルの各チップデータを、それぞれ対応する周波数軸アドレスと時間軸アドレスとから構成され、シンボル順序を考慮して２次元マップに配置する。
【００２６】
次に、マッピングされたデータは、バッファ手段としてのバッファ部３２に格納される。ＩＦＦＴ処理を行なう場合、各チップをＯＦＤＭシンボルに変換するため、時刻ｔにお
いて、２次元マップ（ＭｘＮ）のＮ個の全チップデータが必要である。一方、コード拡散部２４とマッパ３０は入力された情報シンボルの順番にチップデータを生成する。そこで、ＩＦＦＴ処理を実施するために生成された（ＭｘＮ）のチップデータを蓄積するため、送信装置２０にバッファ部３２を設ける。このバッファ部３２は、通常のＲＡＭ（random-access memory）により実現され、周波数軸アドレス及び時間軸アドレス毎に拡散されたチップデータを記憶する。
【００２７】
そして、バッファ部３２に記録されたチップデータを用いて、送信装置２０のＩＦＦＴ部２５において周波数時間信号変換を行なう。ここでは、逆高速フーリエ変換を用いる。そして、情報信号を周波数の異なる複数のサブキャリアに割り振って、ＯＦＤＭシンボルを生成する。
【００２８】
さらに、送信装置２０は、信号生成手段としてのＤＡ変換部２６において、ＯＦＤＭシンボル毎にガードインターバル挿入処理、シンボル整形処理、デジタル・アナログ変換処理、直交変換処理を実行する。そして、送信装置２０は、マルチキャリアＣＤＭＡ信号を、アンテナを介して受信装置に送信する。
【００２９】
マルチキャリアＣＤＭＡ信号を受信した受信装置は、通常のマルチキャリアスペクトル拡散通信と同様に信号処理を実行する。すなわち、受信装置は、ＯＦＤＭシンボルタイミングの同期を確立し、各ＯＦＤＭシンボルに挿入されているガードインターバルを除去する。そして受信装置は、マルチキャリアＣＤＭＡ信号に対して高速フーリエ変換を行ない、周波数の異なる複数のサブキャリアに拡散されたＣＤＭＡ信号を、サブキャリア毎に分離する。さらに、受信装置は、ＣＤＭＡ信号に各データチャネルに対応する拡散コードを乗算することにより逆拡散を行なう。次に、受信装置は、拡散コード周期に渡って合成され、復元された情報シンボルの並直列変換処理を実行し、データ復調処理を行なう。更に、受信装置は、誤り訂正復号処理を行い、情報シンボルを取得する。これにより、ＯＦＤＭ通信方式とＣＤＭＡ通信方式とを組み合わせたマルチキャリアスペクトル拡散通信を実現する。
【００３０】
上記実施形態のマルチキャリアスペクトル拡散通信によれば、以下のような効果を得ることができる。
・  上記実施形態では、送信装置２０は、コード拡散部２４において拡散処理を行なう。ここでは、情報シンボルの１次元拡散のみを実行する。そして、送信装置２０は、マッパ３０を用いて拡散された情報シンボルの２次元化処理を行なう。このように、拡散処理と２次元化処理とを分離して実行することにより、拡散器、マッパを簡単な回路構成で実現することができるとともに、各処理の自由度を高めることができる。例えば、拡散処理において用いられる拡散コードの生成には、Barker、M-Sequence、Gold、Hadamard-Walsh等の各種シーケンスがあり、その選択の自由度を高くすることができ、拡散率の変更が容易になる。
【００３１】
さらに、チップデータを順番に配列する場合と異なり、各チップデータを自由に配置することが可能になり、必要に応じて各チップデータの距離を稼ぐことも可能になる。例えば、同一シンボルに属するチップ間の最小ユークリッド距離を常に一定以上に保つパターン等を用いることも可能である。これにより、より高いスループットの高品質な通信を提供することができる。
【００３２】
・  上記実施形態では、マッパ３０は、検索テーブル記憶部３１を備え、この検索テーブル記憶部３１には検索テーブル３１０が格納される。この検索テーブル３１０には、情報シンボルに対して割り当てられたチップのアドレスに対応して、周波数軸アドレスと時間軸アドレスとが関連付けられて記録されている。これにより、マッパ３０は、チップデ
ータを効率的に２次元化することができる。
【００３３】
・  上記実施形態では、送信装置２０は、マッパ３０とＩＦＦＴ部２５との間にバッファ部３２を設ける。ＩＦＦＴ処理を行なう場合、各チップをＯＦＤＭシンボルに変換するため、任意の一時刻において全チップデータ（２次元マップ（ＭｘＮ）においてはＮ個のチップデータ）が必要であるが、バッファ部３２に記録されたチップデータを用いて、ＩＦＦＴ部２５において情報信号の周波数時間信号変換を行なうことができる。
【００３４】
なお、上記実施形態は以下のように変更してもよい。
○  上記実施形態では、マッパ３０は、検索テーブル記憶部３１に格納された検索テーブル３１０を用いて２次元化処理を行った。これに代えて、２次元マップへの配置を回路構成によって実現することも可能である。これを、図３を用いて説明する。例えば、バッファ部３２に２次元バッファのサイズ（time，freq）＝（６４，２５６）を設けておく。（ＳＦtime，ＳＦfreq）＝（８，２）の場合、拡散率（ＳＦ）＝１６は４ビットで表現され、ＳＦtime，ＳＦfreqは、それぞれ３ビット、１ビットで表現することができる。送信するシンボルの数を１０２４個とした場合、このシンボルは１０ビットで表現することができる。従って、１４（＝１０＋４）ビットのカウンタを用いて、最下位ビット（Least Significant Bit ：ＬＳＢ）から４ビットを拡散器に割り当て、最上位ビット（Most Significant Bit：ＭＳＢ）から１０ビットをシンボルバッファの読み出しに割り当てる。
【００３５】
そして、この拡散器に与えた４ビットを、周波数拡散率ＳＦfreqと時間拡散率ＳＦtimeとに対応させて、さらにＭＳＢ１ビットとＬＳＢ３ビットに分ける。また、シンボルバッファの読み出しアドレスとした１０ビットをＭＳＢ７ビットとＬＳＢ３ビットに分ける。これにより、１４ビットのカウンタは、ＭＳＢから７ビット，３ビット，１ビット，３ビットで区切られることになる。この内のＭＳＢ７ビットとＳＦfreqに対応する１ビットをまとめて８ビットとし、これを２次元チップバッファの周波数方向のアドレスとして用いる。また同様に、残った３ビットと３ビットを併せた６ビットを時間方向のアドレスとして用いる。これにより、各シンボルの各拡散されたチップを、２次元に配置することができる。すなわち、１０２４シンボルを１６倍に拡散し、それを２ｘ８に配置した上で、２５６ｘ６４の大きさのバッファに並べることができる。
【００３６】
○  上記実施形態では、マッパ３０は、検索テーブル記憶部３１を備え、この検索テーブル記憶部３１に格納された検索テーブル３１０を用いて２次元化処理を行った。２次元マップの配置方法は、順次配列されるものに限られるものではない。例えば、検索テーブル３１０として、隣り合わせのチップが分散して配置されるようなテーブルを設定してもよい。これにより、チップインターリーブを実現することができる。また、この場合にも、２次元マップへの配置を回路構成によって実現することも可能である。これを、図５で示す。ここでは、拡散コードのシャッフルを行なう。エラーが一箇所に集中していたり、エラー発生箇所に周期性があったりした場合、エラー訂正能力が落ちることがある。また、無線通信路では、例えば特定の周波数（＝サブキャリア）のみが、狭帯域雑音との干渉を受ける、特定の時刻でのＯＦＤＭシンボルのみが、例えばシャドウイング等で劣化する場合がある。チップインターリーブは、無線通信路上で発生した雑音／干渉をシャッフルすることで、エラーが一箇所に集中することを避け、後に受信機のエラー訂正復号器（ターボデコーダ、ビタビデコーダ等）での訂正能力の劣化を防ぐことができる。更に、図６に示すように、カウンタの全ビットでシャッフルを行ない、その後、２次元チップバッファの周波数方向アドレス、時間方向アドレスを生成してもよい。
【００３７】
○  上記実施形態では、送信装置２０のバッファ部３２には、マッピングされたデータが格納される。これに代えて、図７に示すように拡散処理を行なう前にバッファ部４０を設けてもよい。上述したように、ＩＦＦＴ処理を行なう場合、各チップをＯＦＤＭシンボ
ルに変換するため、時刻ｔにおいて、２次元マップ（ＭｘＮ）のＮ個の全チップデータが必要である。そこで、マッパ３０は、時刻ｔにおいてＩＦＦＴ処理を行なうために必要なＮ個のチップデータの配置位置を、検索テーブル記憶部３１を格納された検索テーブル３１０を用いて逆引きする。すなわち、マッパ３０は、２次元マップにおいてＩＦＦＴ処理に必要なチップデータと、そのチップデータの生成に必要な情報シンボルのデータをバッファ部４０において特定する。
【００３８】
そして、マッパ３０は、ＩＦＦＴ処理に必要な情報シンボルのデータを抽出し、コード拡散部２４にて拡散処理を実行させる。そして、ＩＦＦＴ部２５において必要なデータのみの周波数時間信号変換を行なう。これにより、ＯＦＤＭフレームのために必要な情報シンボルのみを蓄積すればよく、全チップデータを蓄積するより少ないバッファ部の記憶容量を低減することができる。
【図面の簡単な説明】
【００３９】
【図１】本発明のマルチキャリアスペクトル拡散通信の送信装置のブロック図。
【図２】検索テーブル記憶部に格納された検索テーブルの説明図。
【図３】２次元拡散のためのマッピングの説明図。
【図４】チップインターリーブの説明図。
【図５】他の２次元拡散のためのマッピングの説明図。
【図６】他の２次元拡散のためのマッピングの説明図。
【図７】他のマルチキャリアスペクトル拡散通信の送信装置のブロック図。
【図８】従来のマルチキャリアスペクトル拡散通信の送信装置のブロック図。
【図９】周波数軸、時間軸での２次元拡散の概念図。
【符号の説明】
【００４０】
２０…送信装置、２４…拡散手段としてのコード拡散部、３０…マッピング手段としてのマッパ、３１…検索テーブル記憶部、３１０…検索テーブル、３２…バッファ手段としてのバッファ部、２５…ＩＦＦＴ部、４０…バッファ手段としてのバッファ部。
【図１】
2006067118.tif 000003
【図２】
2006067118.tif 000004
【図３】
2006067118.tif 000005
【図４】
2006067118.tif 000006
【図５】
2006067118.tif 000007
【図６】
2006067118.tif 000008
【図７】
2006067118.tif 000009
【図８】
2006067118.tif 000010
【図９】
2006067118.tif 000011